(57)【要約】【課題】記録媒体に記録された画像情報の内容が確認される前に投写されることを防止できるプロジェクターを提供する。【解決手段】制御手段は、プロジェクターが動作中にＤＶＤが装着されたことを検出すると（ステップＳ１００）、ＤＶＤの画像情報を画像出力端子に出力させ（ステップＳ１０１）、ＤＶＤの画像を投写するか否かの確認画像を投写させ、入力操作を受け付ける（ステップＳ１０３）。【選択図】図４
2015087499.tif 000002
【特許請求の範囲】
【請求項１】
記録媒体に記録された画像情報を読み取る読取手段と、光源から射出された光を前記読取手段が読み取った画像情報に応じて画像光に変調して投写する画像投写手段とを有するプロジェクターであって、
前記記録媒体が当該プロジェクターに装着されたことを検出する装着検出手段と、
前記画像情報を外部画像表示装置に出力する画像信号出力手段と、
入力操作を受け付ける入力操作手段と、
前記装着検出手段により、前記記録媒体が当該プロジェクターに装着されたことが検出された場合に、当該記録媒体に記録された画像情報を前記外部画像表示装置に出力させるとともに、前記画像情報に基づく画像を投写するか否かの入力操作を受け付ける確認処理を実行し、
前記確認処理において、前記画像情報に基づく画像を投写する入力操作を受け付けた場合に前記画像情報を前記画像投写手段に投写させる制御手段と、
を備えたことを特徴とするプロジェクター。
【請求項２】
請求項１に記載のプロジェクターであって、
前記記録媒体を当該プロジェクターから排出する搬送手段、をさらに備え、
前記制御手段は、前記確認処理において、前記画像情報に基づく画像を投写しない入力操作を受け付けた場合に、前記搬送手段により、前記記録媒体を当該プロジェクターから排出することを特徴とするプロジェクター。
【請求項３】
記録媒体に記録された画像情報を読み取る読取手段と、
光源から射出された光を前記読取手段が読み取った画像情報に応じて画像光に変調して投写する画像投写手段と、を有するプロジェクターの制御方法であって、
前記記録媒体が当該プロジェクターに装着されたことを検出する装着検出ステップと、
前記装着検出ステップにより、前記記録媒体が当該プロジェクターに装着されたことが検出された場合に、当該記録媒体に記録された画像情報を外部画像表示装置に出力するとともに前記画像情報に基づく画像を投写するか否かの入力操作を受け付ける確認ステップと、
前記確認ステップにおいて、前記画像情報に基づく画像を投写する入力操作を受け付けた場合に前記画像情報に基づく画像を前記画像投写手段に投写させる制御ステップと、
を有することを特徴とするプロジェクターの制御方法。
【発明の詳細な説明】
【技術分野】
【０００１】
本発明は、画像を投写するプロジェクターおよびプロジェクターの制御方法に関する。
【背景技術】
【０００２】
従来、画像をスクリーン等の投写面に投写するプロジェクターにおいて、ＤＶＤ（Digital Versatile Disc）等の記録媒体に記録されている画像情報を再生する画像再生手段を一体的に備えたものが知られている。このようなプロジェクターにおいて、ＤＶＤメディアなどの記録媒体に記録された画像情報は実際に再生し、投写してみないとその内容がわからない場合があった。そのため、事前に記録媒体のタイトルをよく確認せずに記録媒体をプロジェクターに装着する、また、タイトルはわかるものの内容がよくわからない記録媒体をプロジェクターに装着し、観衆に見せたくない画像を投写しまうことがあった。
【０００３】
特許文献１にはプロジェクターに異常が発生した場合に記録媒体に記録された画像情報を外部画像表示装置に出力するプロジェクターが提案されている。このようなプロジェクターによれば、プロジェクターに異常が発生して画像を投写できない状態のときに外部画像表示装置で記録媒体に記録された画像情報を確認することができる。
【０００４】
特許文献２には記録媒体の表面画像を読み取り、表示することができる画像表示装置が提案されている。このような画像表示装置によれば、記録媒体を再生せずに表面画像を確認することができる。
【先行技術文献】
【特許文献】
【０００５】
【特許文献１】特開２０１２−１７３４５１号公報
【特許文献２】特開２０１２−１５０８６４号公報
【発明の概要】
【発明が解決しようとする課題】
【０００６】
しかし、特許文献１のプロジェクターでは、プロジェクターが通常動作している場合は記録媒体に記録された画像情報を外部画像表示装置に出力しないので内容を確認することはできなかった。また、特許文献２の画像表示装置では、記録媒体の表面画像は確認できるものの、表面画像だけでは内容がわかりにくく、実際に画像を投写してみないとどのような内容なのか確認できない場合があった。また、表面画像自体が観衆に見せたくない画像の場合もあった。画像投写前に画像の内容を確認できないという問題は解決されなかった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、記録媒体に記録された画像情報を読み取る読取手段と、光源から射出された光を前記読取手段が読み取った画像情報に応じて画像光に変調して投写する画像投写手段とを有するプロジェクターであって、前記記録媒体が当該プロジェクターに装着されたことを検出する装着検出手段と、前記画像情報を外部画像表示装置に出力する画像信号出力手段と、入力操作を受け付ける入力操作手段と、前記装着検出手段により、前記記録媒体が当該プロジェクターに装着されたことが検出された場合に、当該記録媒体に記録された画像情報を前記外部画像表示装置に出力させるとともに、前記画像情報に基づく画像を投写するか否かの入力操作を受け付ける確認処理を実行し、前記確認処理において、前記画像情報に基づく画像を投写する入力操作を受け付けた場合に前記画像情報を前記画像投写手段に投写させる制御手段と、を備えたことを特徴とする。
【０００９】
本適用例によれば、プロジェクターに記録媒体が装着されたとき、記録媒体に記録された画像情報を外部画像表示装置に出力するとともに、画像情報に基づく画像を投写するか否かの入力操作を受け付け、画像情報に基づく画像を投写する操作を受け付けた場合に画像を投写する。これにより、記録媒体に記録された画像情報に基づく画像を投写前に外部画像表示装置で確認することができるので、観衆に見せたくない画像が確認前に投写されてしまうことを防止できる。
【００１０】
［適用例２］上記適用例に記載のプロジェクターにおいて、前記記録媒体を当該プロジェクターから排出する搬送手段をさらに備え、前記制御手段は、前記確認処理において、前記画像情報に基づく画像を投写しない入力操作を受け付けた場合に、前記搬送手段により、前記記録媒体を当該プロジェクターから排出することが好ましい。
【００１１】
本適用例によれば、プロジェクターに装着された記録媒体に記録された画像情報に基づく画像を投写しない操作を受け付けた場合に記録媒体をプロジェクターから排出する。これにより、画像情報に基づく画像を投写させたくない記録媒体が、プロジェクターに装着されたままになることを防止できる。
【００１２】
［適用例３］本適用例に係るプロジェクターの制御方法は、記録媒体に記録された画像情報を読み取る読取手段と、光源から射出された光を前記読取手段が読み取った画像情報に応じて画像光に変調して投写する画像投写手段と、を有するプロジェクターの制御方法であって、前記記録媒体が当該プロジェクターに装着されたことを検出する装着検出ステップと、前記装着検出ステップにより、前記記録媒体が当該プロジェクターに装着されたことが検出された場合に、当該記録媒体に記録された画像情報を外部画像表示装置に出力するとともに前記画像情報に基づく画像を投写するか否かの入力操作を受け付ける確認ステップと、前記確認ステップにおいて、前記画像情報に基づく画像を投写する入力操作を受け付けた場合に前記画像情報に基づく画像を前記画像投写手段に投写させる制御ステップと、を有することを特徴とする。
【００１３】
本適用例によれば、プロジェクターに記録媒体が装着されたとき、記録媒体に記録された画像を外部画像表示装置に出力するとともに、投写するか否かの入力操作を受け付け、画像を投写する操作を受け付けた場合に画像を投写する。これにより、記録媒体に記録された画像を投写前に外部画像表示装置で確認することができるので、観衆に見せたくない画像が、確認前に投写されてしまうことを防止できる。
【図面の簡単な説明】
【００１４】
【図１】実施形態に係るプロジェクターの外観斜視図。
【図２】プロジェクターの回路構成を示すブロック図。
【図３】プロジェクターと外部画像表示装置の表示状態を示す図。
【図４】プロジェクターの動作を示すフローチャート。
【発明を実施するための形態】
【００１５】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１６】
（実施形態）
図１は、本実施形態のプロジェクター１の外観斜視図であり、同図（ａ）はプロジェクター１を斜め後方から見た図、同図（ｂ）はプロジェクター１を斜め前方見た図である。なお、本実施形態では画像を投写する方向を前方として説明する。
図１に示すように、プロジェクター１の筐体２の後面２Ｓには画像入力端子６と、画像出力端子７と、記録媒体としてのＤＶＤメディアＭを挿入するためのディスクスロット３とが設けられている。
【００１７】
また、筐体２の上面２Ｔには、複数の操作キーから構成されプロジェクター１に各種指示を行うための入力操作手段２３が備えられている。
【００１８】
また、筐体２の前面２Ｆには外部のスクリーンＳＣ（図２参照）等に画像を投写する投写レンズ１３が露出している。
【００１９】
次に、本実施形態のプロジェクター１の回路構成を、図２のブロック図を用いて説明する。
図２に示すように、プロジェクター１は、画像入力端子６、画像出力端子７、画像投写手段１０、ＯＳＤ処理手段１６、画像信号処理手段１７、画像信号入出力手段１８、制御手段２０、記憶手段２１、光源制御手段２２、入力操作手段２３、電源端子３０、電源部３１、ＤＶＤ再生手段５０等で構成されており、これらは筐体２（図１）の内部または外面に配置されている。
【００２０】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、変調された画像を投写レンズ１３から投写することによってスクリーンＳＣ等の投写面に投写画像を表示する。
【００２１】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ対応する液晶ライトバルブ１２Ｒ，１２Ｇ，１２Ｂに入射する。
【００２２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
【００２３】
液晶駆動手段１４が、入力される画像データに応じた駆動電圧を各画素に印加すると、各画素は、画像データに応じた光透過率に設定される。このため、光源１１から射出された光は、この液晶ライトバルブ１２Ｒ，１２Ｇ，１２Ｂを透過することによって変調され、画像データに応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２４】
本実施形態では、光源として光源ランプ１１ａを用いて投写するプロジェクター１を例示したが、光源としてＬＥＤ（Light emitting diode）光源やレーザー光源などを用いて投写するプロジェクターにも適用することができる。
【００２５】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２６】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
また、制御手段２０は、画像信号入出力手段１８、および画像信号処理手段１７に指示をして、ＤＶＤメディアＭに記録された画像情報を、画像出力端子７を介して外部画像表示装置に出力させるとともに、画像情報に基づく画像を投写するか否かの入力操作を受け付ける確認処理を行う。
【００２７】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００２８】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、ＤＶＤメディアＭの              再生を開始させるための再生キー、ＤＶＤメディアＭの再生を停止するための停止キー、ＤＶＤメディアＭを排出させるためのイジェクトキー、複数の画像入力端子６を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー等がある。
【００２９】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３０】
光源制御手段２２は、制御手段２０の指示に基づいて、光源１１に対する電力の供給と停止とを制御し、光源１１の点灯、および消灯を切り替える。
【００３１】
複数の画像入力端子６には、ビデオ再生装置やパーソナルコンピューター等、外部の画像出力装置が接続され、図示しないケーブル、又は通信機器などを介して画像出力装置からの画像信号（画像情報ともいう）がこの画像入力端子６を介して画像信号入出力手段１８に入力される。
【００３２】
図３は、プロジェクター１の使用形態を説明するための模式図である。
画像出力端子７には、図３に示すように、携帯端末、モニター装置などの外部画像表示装置Ｖ１が接続され、ＤＶＤメディアＭに記録された画像情報がケーブルＣＡを介して出力される。
【００３３】
図２に戻って、画像信号入出力手段１８は、画像信号処理手段１７から出力される画像情報を、画像出力端子７を介して外部画像表示装置に出力する出力状態と、外部機器から画像入力端子６を介して入力される画像情報を画像信号処理手段１７に供給する入力状態の２つの状態を持つ。画像信号入出力手段１８は、制御手段２０の指示により、出力状態と入力状態のいずれかに切り替えられる。すなわち、画像信号入出力手段１８は、画像情報を外部画像表示装置Ｖ１に出力する画像信号出力手段の機能、および外部機器から入力される画像情報を画像信号処理手段１７に入力させる画像信号入力手段の機能を有している。
【００３４】
ユーザーが入力操作手段２３の入力切替キーを操作して所望の画像入力端子６の画像情報を指定すると、制御手段２０は指定された画像情報が画像信号処理手段１７に出力されるよう、画像信号入出力手段１８に指示をする。
【００３５】
ＤＶＤ再生手段５０は、ＤＶＤメディアＭに記録された画像情報を再生するものである。
また、ＤＶＤ再生手段５０は、挿入センサー５１、メディア搬送手段５２、装着センサー５３、読取手段５４、データ処理手段５５等を含んで構成されている。
【００３６】
挿入センサー５１は、ディスクスロット３（図１参照）の近傍に配置され、ＤＶＤメディアＭの一部がディスクスロット３に挿入されたことを検出して制御手段２０に通知する。
【００３７】
メディア搬送手段５２は、ＤＶＤメディアＭを搬送するための搬送ローラー、ターンテーブル、および搬送ローラーを回転駆動する駆動モーター（いずれも図示せず）等によって構成され、制御手段２０の指示に基づいて、ＤＶＤ再生手段５０内におけるＤＶＤメディアＭの搬送を行う。
【００３８】
具体的には、ユーザーがＤＶＤメディアＭの一部をディスクスロット３に挿入し、挿入センサー５１がこの挿入を検出すると、制御手段２０は、メディア搬送手段５２に指示をして、ＤＶＤメディアＭを内部に引き込んでターンテーブル上に装着させる。また、ユーザーにより入力操作手段２３のイジェクトキーが操作されると、制御手段２０は、メディア搬送手段５２に指示をして、ターンテーブルからＤＶＤメディアＭを離脱させ、ＤＶＤメディアＭをディスクスロット３から排出させる。
【００３９】
装着センサー５３は、装着検出手段に相当するものであり、ターンテーブルの近傍に配置され、ターンテーブルにＤＶＤメディアＭが装着されていることを検出して制御手段２０に通知する。
【００４０】
読取手段５４は、スピンドルモーターや光ピックアップ（いずれも図示せず）等を備え、制御手段２０の指示に基づいて、ターンテーブル上に装着されたＤＶＤメディアＭをスピンドルモーターで回転させるとともに、光ピックアップを走査して、ＤＶＤメディアＭに記録されているデータストリームを順次読み取る。このデータストリームは、符号化された画像情報や音声情報が多重化された情報であり、読取手段５４によって読み取られたデータストリームは、データ処理手段５５に順次出力される。
【００４１】
データ処理手段５５は、デマルチプレクサーやデコーダー等で構成され、制御手段２０の指示に基づいて、読取手段５４から入力されるデータストリームを画像情報と音声情報とに分離する処理や、分離した画像情報および音声情報をデコード（復号化）する処理等を行う。
【００４２】
データ処理手段５５は、復号化された画像情報および音声情報を画像信号入出力手段１８に出力する。なお、ＤＶＤ再生手段５０が、ＤＶＤメディアＭからデータストリームを読み取って、このデータストリームに基づく画像情報および音声情報を出力することを、本明細書では「画像情報を再生する」又は「ＤＶＤを再生する」と表記する。
【００４３】
制御手段２０は、装着センサー５３により、ＤＶＤメディアＭがＤＶＤ再生手段５０のターンテーブルに装着されたことを検出すると、ＤＶＤ再生手段５０に指示をして、画像情報の再生を開始させる。
制御手段２０は、また、入力操作手段２３の再生キーの操作を受け付けると、ＤＶＤ再生手段５０に指示をして、画像情報の再生を開始させ、入力操作手段２３の停止キーの操作を受け付けると、ＤＶＤ再生手段５０に指示をして、画像情報の再生を停止させる。
【００４４】
挿入センサー５１、および装着センサー５３は、例えば、メカニカルスイッチ、光センサー、磁気センサー等の各種検出手段を用いて構成することができる。また、装着センサー５３に関しては、上述した光ピックアップが受光する反射光の信号レベルによってＤＶＤメディアＭの装着の有無を検出する態様とすることも可能である。
【００４５】
画像信号処理手段１７は、制御手段２０の指示に基づき、画像信号入出力手段１８から入力される画像信号を、液晶ライトバルブ１２Ｒ，１２Ｇ，１２Ｂの各画素の階調を表す画像データに変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００４６】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像データを記憶している。
【００４７】
制御手段２０が、ＯＳＤ画像の重畳表示を指示すると、ＯＳＤ処理手段１６は、必要なＯＳＤ画像データをＯＳＤメモリーから読み出し、投写画像上の所定の位置にＯＳＤ画像が重畳されるように、画像信号処理手段１７から入力される画像データにこのＯＳＤ画像データを合成する。ＯＳＤ画像データが合成された画像データは、液晶駆動手段１４に出力される。
なお、制御手段２０からＯＳＤ画像を重畳する旨の指示がない場合には、ＯＳＤ処理手段１６は、画像信号処理手段１７から入力される画像データを、そのまま液晶駆動手段１４に出力する。
【００４８】
液晶駆動手段１４が、ＯＳＤ処理手段１６より入力される画像データに従って液晶ライトバルブ１２Ｒ，１２Ｇ，１２Ｂを駆動すると、画像データに応じた画像が投写レンズ１３より投写され、スクリーンＳＣの投写面に投写画像が表示される。
【００４９】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００５０】
次に、本実施形態のプロジェクター１の画像投写状態と外部画像表示装置の表示状態について図３を用いて説明する。
図３に示すように、プロジェクター１の画像出力端子７はケーブルＣＡを介して外部画像表示装置Ｖ１に接続されている。プロジェクター１にＤＶＤメディアＭが装着されると、プロジェクター１は確認画像Ｍ１を投写し、画像出力端子７を介して外部画像表示装置Ｖ１にＤＶＤメディアＭに記録された画像を出力する。外部画像表示装置Ｖ１は、入力された画像（ＤＶＤメディアＭに記録された画像）を表示する。
【００５１】
次に、本実施形態のプロジェクター１の動作を図４のフローチャートを用いて説明する。
図４に示すように、プロジェクター１が動作中にＤＶＤメディアＭが装着されたことを検出すると（ステップＳ１００）、ステップＳ１０１に遷移する。ステップＳ１００が装着検出ステップに相当する。
【００５２】
ステップＳ１０１において制御手段２０は、画像信号処理手段１７、および画像信号入出力手段１８に指示してＤＶＤ再生手段５０から出力される画像情報を画像出力端子７に出力させる。次にステップＳ１０２に遷移する。
【００５３】
ステップＳ１０２において制御手段２０は、ＤＶＤ再生手段５０に指示し、ＤＶＤメディアＭの再生を開始し、画像情報を画像信号処理手段１７に出力させる。次にステップＳ１０３に遷移する。
【００５４】
ステップＳ１０３において、制御手段２０は、ＤＶＤメディアＭに記録された画像を投写するか否かの確認画像Ｍ１（図３参照）を画像投写手段１０に投写させる。次に、入力操作手段２３により画像を投写するか否かの応答を受け付け、ステップＳ１０４に遷移する。ステップＳ１０１からステップＳ１０３が確認ステップに相当する。
【００５５】
ステップＳ１０４において、制御手段２０は、ステップＳ１０３において、ＤＶＤメディアＭに記録された画像を投写する入力操作を受け付けたか否かを調べる。画像を投写する入力操作を受け付けた場合（ステップＳ１０４：Ｙ）には、ステップＳ１０５に遷移する。画像を投写しない入力操作を受け付けた場合（ステップＳ１０４：Ｎ）には、ステップＳ１０６に遷移する。
【００５６】
ステップＳ１０５において、制御手段２０は、画像信号処理手段１７、および画像信号入出力手段１８に指示してＤＶＤ再生手段５０から出力される画像情報を画像投写手段１０により投写させる。次にステップＳ１１０に遷移する。ステップＳ１０４、およびステップＳ１０５が制御ステップに相当する。
【００５７】
ステップＳ１０６において、制御手段２０は、ＤＶＤ再生手段５０に指示してＤＶＤメディアＭの再生を停止し、ＤＶＤメディアＭをプロジェクター１の外部へ排出させる。次にステップＳ１１０に遷移する。
【００５８】
ステップＳ１１０において、本動作フローを終了する。
【００５９】
上述した実施形態によれば、以下の効果を得られる。
本実施形態のプロジェクター１によれば、ＤＶＤメディアＭが装着されたとき、ＤＶＤメディアＭに記録された画像を外部画像表示装置Ｖ１に出力するとともに、画像を投写するか否かの入力操作を受け付け、画像を投写する操作を受け付けた場合に画像を投写する。これにより、ＤＶＤメディアＭに記録された画像を投写前に外部画像表示装置で確認することができるので、観衆に見せたくない画像が、確認前に投写されてしまうこと防止できる。
【００６０】
また、ＤＶＤメディアＭに記録された画像情報に基づく画像を投写しない操作を受け付けた場合に、ＤＶＤメディアＭをプロジェクター１から排出する。これにより、画像情報に基づく画像を投写させたくないＤＶＤメディアＭが、プロジェクター１に装着されたままになることを防止できる。
【００６１】
（変形例）
また、上記実施形態は、以下のように変更してもよい。
上述した実施形態では、記録媒体としてＤＶＤメディアＭについて説明したが、これに限るものでなく、例えばＢｌｕ−ｒａｙ（登録商標）ディスクや、ＵＳＢメモリーなどの画像記録媒体でもよい。
【符号の説明】
【００６２】
１…プロジェクター、２…筐体、３…ディスクスロット、６…画像入力端子、７…画像出力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入出力手段、２０…制御手段、２１…記憶手段、２２…光源制御手段、２３…入力操作手段、３０…電源端子、３１…電源部、５０…ＤＶＤ再生手段、５１…挿入センサー、５２…メディア搬送手段、５３…装着センサー、５４…読取手段、５５…データ処理手段、ＳＣ…スクリーン。
【図１】
2015087499.tif 000003
【図２】
2015087499.tif 000004
【図３】
2015087499.tif 000005
【図４】
2015087499.tif 000006